(57)【要約】【課題】用紙の種類の変更に係わりなく機構的に簡単な構成で用紙のトナー画像を常に適正に定着する定着装置及びその定着装置を備えた画像形成装置を提供する。【解決手段】回転カム５６の回転に従って、保持回動部材５４は回動し、保持回動部材５４に保持された加熱定着ローラ４３は定着位置と非定着位置とに移動する。一方、テンションローラ４６は通紙路に近づく第１の位置と通紙路から離れる第２の位置とに移動する。定着ベルト４５は加熱定着ローラ４３が定着位置にあるとき、テンションローラ４６が第１の位置のとき比較的広い範囲の弱いニップ圧の挟持部Ｂ１を形成し、第２の位置のとき比較的狭い範囲の弱いニップ圧の挟持部Ｂ２を形成する。テンションローラ４６の移動位置は第１の位置から第２の位置までの間で所望の位置に設定できる。【選択図】図３
2012220612.tif 000002
【特許請求の範囲】
【請求項１】
熱源を内蔵する加熱定着ローラと、
他の熱源を内蔵する加圧ローラと、
該加圧ローラとテンションローラとの間に掛け渡される定着ベルトと、
前記テンションローラを通紙路に近づく第１の位置と前記通紙路から離れる第２の位置とに移動させるテンションローラ移動部材と、
前記加熱定着ローラを保持し、支点周りに回動可能な保持回動部材と、
該保持回動部材の前記支点に対し前記加熱定着ローラを保持する保持部より反対側端部に係合し、前記保持回動部材を介して、前記加熱定着ローラを通紙路に近づく加熱位置と前記通紙路から離れる非加熱位置とに移動させる回転カムと、
を有することを特徴とする定着装置。
【請求項２】
前記テンションローラが前記第１の位置にあるとき前記テンションローラの中心と前記加圧ローラの中心を結ぶ線はほぼ鉛直であり、
加熱定着ローラと前記加圧ローラとが圧接する位置は、前記加圧ローラの中心を通る水平面よりも下方に設定されている、
ことを特徴とする請求項１記載の定着装置。
【請求項３】
前記加熱定着ローラが前記非加熱位置に在り、前記テンションローラが前記第２の位置にあるとき、前記通紙路は開放状態となる、ことを特徴とする請求項１記載の定着装置。
【請求項４】
請求項１乃至３記載の定着装置を備えた、ことを特徴とする画像形成装置。
【発明の詳細な説明】
【技術分野】
【０００１】
本発明は、定着装置及び画像形成装置に係わり、更に詳しくは用紙の種類の変更に係わりなく機構的に簡単な構成で用紙のトナー画像を常に適正に定着する定着装置及びその定着装置を備えた画像形成装置に関する。
【背景技術】
【０００２】
従来、トナーを用いて電子写真方式でトナー像を像担持体上に形成し、このトナー像を用紙に直接または間接に転写し、この転写トナー像を定着装置で用紙に定着して画像を形成する画像形成装置が知られている。
【０００３】
このような画像形成装置は、例えば、給紙ユニット、ベルトユニット、トナー供給ユニット、現像装置、定着装置等の複数の内部装置を備えている。中でも定着装置においては、例えば普通紙とＯＨＰ(overhead projector)用紙というように使用する用紙の種類に変更があると、用紙のトナー画像を適正に定着するために、熱や圧力を、変更された用紙の種類に対応するように変更することが重要な課題となっている。
【０００４】
一例として、普通紙と厚紙とが混在していても定着不良を発生させることなく定着させるために、定着ローラの温度調整の目標温度を単一の坪量の記録材のみを連続加熱処理する普通紙通常モードの場合よりも高く設定し、薄紙の連続加熱処理を通じて円筒形部材の温度が低下した状態で厚紙の連続加熱処理が始まったとき、定着ローラの表面温度は低下するが、定着不良を引き起すほどには低下しなくなるようにした画像加熱装置が提案されている。（例えば、特許文献１参照。）
【先行技術文献】
【特許文献】
【０００５】
【特許文献１】特開２０１０−１８１４６９号公報
【発明の概要】
【発明が解決しようとする課題】
【０００６】
ところで、画像形成装置の定着装置では、必ずしも普通紙の連続加熱処理の後に厚紙の連続加熱処理を行うと決まっているものではなく、厚紙の後に普通紙、さらに続いて厚紙の加熱処理など、処理の態様は一定なものではない。
【０００７】
上記の特許文献１に記載の技術では、画像形成装置のユーザは、最初に普通紙の連続印刷をし、その後に厚紙の連続印刷をするというように、予め印刷する順番の態様を設定することを強制されるので、使い勝手が悪く不便であるという解決すべき課題がある。
【０００８】
本発明は、上記従来の課題を解決するものであって、用紙の種類の変更に係わりなく機構的に簡単な構成で用紙のトナー画像を常に適正に定着する定着装置及びその定着装置を備えた画像形成装置を提供することを目的とする。
【課題を解決するための手段】
【０００９】
上記課題を解決するために、先ず、第１の発明の定着装置は、熱源を内蔵する加熱定着ローラと、他の熱源を内蔵する加圧ローラと、該加圧ローラとテンションローラとの間に掛け渡される定着ベルトと、上記テンションローラを通紙路に近づく第１の位置と上記通紙路から離れる第２の位置とに移動させるテンションローラ移動部材と、上記加熱定着ローラを保持し、支点周りに回動可能な保持回動部材と、該保持回動部材の上記支点に対し上記加熱定着ローラを保持する保持部より反対側端部に係合し、上記保持回動部材を介して、上記加熱定着ローラを通紙路に近づく加熱位置と上記通紙路から離れる非加熱位置とに移動させる回転カムと、を有して構成される。
【００１０】
次に、第２の発明の画像形成装置は、上記第１の発明の定着装置を備えるように構成される。
【発明の効果】
【００１１】
本発明によれば、用紙の種類の変更に係わりなく機構的な簡単な構成で用紙のトナー画像を常に適正に定着する定着装置及びその定着装置を備えた画像形成装置を提供することが可能となる。
【図面の簡単な説明】
【００１２】
【図１】本発明の実施例１に係るフルカラーの画像形成装置（プリンタ）の内部構成を説明する断面図である。
【図２】(a)は実施例１に係るプリンタの定着装置の構成を詳細に示す断面図、(b)は定着装置における用紙挟持領域のニップ圧力を模式的に示す図である。
【図３】(a),(b),(c)は実施例１に係るプリンタの定着装置の加熱定着ローラと定着ベルトの動作を説明する図である。
【図４】(a)は実施例２に係るプリンタの定着装置の断熱性筐体の一部を切り取って内面を示す正面図、(b) はその上面図、(c)はその側面図、(d)は(a)の丸ｅで囲んだ部分の拡大図、(e),(f)はそれぞれ(a),(d)の斜視図である。
【図５】(a)は実施例２に係るプリンタの断熱性筐体の内面の１個の凹部を取り出して示す正面図、(b)はその内部の反射面を１つだけ切り離して示す展開図、(c)は凹部の開口部を示す図、(d)は凹部への入射熱と反射熱を説明する図である。
【発明を実施するための形態】
【００１３】
以下、本発明の実施の形態について、図面を参照しながら詳細に説明する。
【実施例１】
【００１４】
図１は、本発明の実施例１に係るフルカラーの画像形成装置（以下、単にプリンタという）の内部構成を説明する断面図である。
【００１５】
図１に示すプリンタ１は、電子写真式で二次転写方式のタンデム型のカラー画像形成装置であり、画像形成部２、転写ベルトユニット３、トナー供給部４、給紙部５、ベルト式定着ユニット６、及び両面印刷用搬送ユニット７で構成されている。
【００１６】
上記画像形成部２は、転写ベルトユニット３の転写ベルト８の下部走行部表面８ａに接して同図の右から左へ４個の現像装置９（９ｋ、９ｃ、９ｍ、９ｙ）を多段式に並設した構成からなる。この画像形成部２は、図１に示す印刷実行時位置から、それより下方の保守位置に、昇降可能にプリンタ１本体のフレームに保持されている。
【００１７】
上記４個の現像装置９のうち上流側（図の左側）の３個の現像装置９ｙ、９ｍ及び９ｃは、それぞれ減法混色の三原色であるイエロー（Ｙ）、マゼンタ（Ｍ）、シアン（Ｃ）の色トナーによるモノカラー画像を形成し、現像装置９ｋは、主として文字や画像の暗黒部分等に用いられるブラック（Ｋ）トナーによるモノクロ画像を形成する。
【００１８】
上記の各現像装置９は、画像を現像するトナーの色を除き全て同じ構成である。したがって、以下イエロー（Ｙ）のトナー用の現像装置９ｙを例にしてその構成を説明する。
【００１９】
現像装置９は、最上部に感光体ドラム１０を備えている。この感光体ドラム１０は、その周面が例えば有機光導電性材料で構成されている。この感光体ドラム１０の周面近傍を取り巻いて、クリーナ１１、帯電ローラ１２、光書込ヘッド１３、及び現像器１４の現像ローラ１５が配置されている。
【００２０】
現像器１４は、外部を覆う筐体１６、内部に設けられた隔壁１７、現像ローラ１５、第１の攪拌搬送スクリュー１８、及び第２の攪拌搬送スクリュー１９を備えている。第１及び第２の攪拌搬送スクリュー１８及び１９は、特には図示しないが、スクリュー軸と、このスクリュー軸と一体に構成されて回転するフィンから成る。
【００２１】
この現像器１４には、トナー供給部４のリザーブタンク２７（２７ｙ、２７ｍ、２７ｃ、２７ｋ）から、同図にはＹ、Ｍ、Ｃ、Ｋで示すようにイエロー（Ｙ）、マゼンタ（Ｍ）、シアン（Ｃ）、ブラック（Ｋ）のいずれかのトナーが供給される。
【００２２】
転写ベルトユニット３は、本体装置のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ２１と従動ローラ２２を備えている。
【００２３】
上記の転写ベルト８には、一次転写ローラ２０がユニットと一体に組み込まれている。一次転写ローラ２０は転写ベルト８を介して感光体ドラム１０に圧接し、下方を循環移動する転写ベルト８の下部走行部表面８ａにトナー像を直接転写（一次転写）する。転写ベルト８は、そのトナー像を更に用紙に転写（二次転写）すべく用紙への二次転写部２３まで搬送する。
【００２４】
転写ベルト８には、ベルトクリーナ２４が配置されている。ベルトクリーナ２４は、転写ベルト８の駆動ローラ２１に掛け渡されている表面に当接するクリーニングブレード２５を備えている。また、ベルトクリーナ２４の下方には廃トナー回収容器２６が着脱自在に配置されている。
【００２５】
ベルトクリーナ２４は、クリーニングブレード２５により転写ベルト８の表面に残留する廃トナーを擦り取って除去し、その廃トナーを搬送スクリューにより下方の廃トナー回収容器２６に送り込んでいる。
【００２６】
トナー供給部４は、転写ベルト８の上部走行部の上方に配置されている４個のリザーブタンク２７（２７ｙ、２７ｍ、２７ｃ、２７ｋ）と、これらのリザーブタンク２７の上にそれぞれ着脱自在に配置されたトナー補充用のトナーカートリッジ２８（２８ｙ、２８ｍ、２８ｃ、２８ｋ）で構成される。
【００２７】
４個のトナーカートリッジ２８ｙ、２８ｍ、２８ｃ、２８ｋは、それぞれイエロー（Ｙ）、マゼンタ（Ｍ）、シアン（Ｃ）、ブラック（Ｋ）のトナーを収容し、４個のリザーブタンク２７（２７ｙ、２７ｍ、２７ｃ、２７ｋ）は、それぞれ上に装着されているトナーカートリッジ２８からトナーを補充される。
【００２８】
これら４個のリザーブタンク２７は、図１では転写ベルトユニット３の向う側に隠れて見えないが、それぞれトナー供給路により対応する現像装置９の現像器１４と連結されている。
【００２９】
このトナー供給部４は、特には図示しないが、図１に示す印刷実行時位置から、それより上方の保守位置に、昇降可能にプリンタ１本体のフレームに保持されている。
【００３０】
このトナー供給部４の左方には、ベルトクリーナ２４の左方から駆動ローラ２１の上方にかけて２つの電装部３０が配設されている。電装部３０には、複数の電子部品からなる制御装置が搭載された回路基盤を備えている。
【００３１】
給紙部５は、上下２段に配置された２個の給紙カセット２９（２９ａ、２９ｂ）を備えている。２個の給紙カセット２９の給紙口（図の右方）近傍には、それぞれ用紙取出ローラ３１、給送ローラ３２、捌きローラ３３、待機搬送ローラ対３４が配置されている。
【００３２】
待機搬送ローラ対３４の用紙搬送方向（図の鉛直上方向）には、転写ベルト８を介して従動ローラ２２に圧接する二次転写ローラ３５が配設されて、前述した用紙への二次転写部２３を形成している。
【００３３】
この二次転写部の下流（図では上方）側には詳しくは後述するベルト式熱定着ユニット６が配置されている。ベルト式熱定着ユニット６の更に下流側には、定着後の用紙をベルト式熱定着ユニット６から搬出する搬出ローラ対３６、及びその搬出される用紙を装置上面に形成されている排紙トレー３７に排紙する排紙ローラ対３８が配設されている。
【００３４】
両面印刷用搬送ユニット７は、外面（図の右方外側面）がプリンタ１の内部を側面から外部に開放又は遮蔽する開閉部材を兼ねている。
【００３５】
この両面印刷用搬送ユニット７は、排紙ローラ対３８の直前から図の右横方向に分岐する開始返送路３９ａ、それから下方に曲がる中間返送路３９ｂ、更に上記とは反対の左横方向に曲がって最終的に返送用紙を反転させる終端返送路３９ｃから成る返送路３９を備えている。
【００３６】
また、返送路３９の途中には、５組の返送ローラ対４１（４１ａ、４１ｂ、４１ｃ、４１ｄ、４１ｅ）が配置されている。上記終端返送路３９ｃの出口は、給紙部５の下方の給紙カセット２９ｂに対応する待機搬送ローラ対３４への搬送路に合流している。
【００３７】
図２(a)は、ベルト式定着ユニット６（以下、単に定着装置６という）の構成を詳細に示す断面図であり、同図(b)は定着装置６における用紙挟持領域のニップ圧力を模式的に示す図である。
【００３８】
図２(a)に示すように、定着装置６は、断熱性の筐体４２（４２ａ、４２ｂ）の内部に加熱定着ローラ４３、加圧ローラ４４、定着ベルト４５、テンションローラ４６、及び２組の巻付き防止爪４７を備えている。加熱定着ローラ４３と加圧ローラ４４は、それぞれ内部に熱源４８（４８ａ、４８ｂ）を備えている。
【００３９】
定着ベルト４５は、加圧ローラ４４とテンションローラ４６とに掛け渡され、テンションローラ４６に対し不図示の付勢部材から鉛直方向に加わる付勢力により、テンションローラ４６によって常に張設されている。
【００４０】
加熱定着ローラ４３は（同図(b)も参照）、定着ベルト４５を介して加圧ローラ４４に圧接する強いニップ圧の挟持部Ａと、この挟持部Ａに連続する定着ベルト４５のみに圧接する弱いニップ圧の挟持部Ｂとを形成する。
【００４１】
搬入口４９から定着装置６に搬入された用紙は、先ず、弱いニップ圧の挟持部Ｂに挟持されて予熱を加えられながら搬送され、続いて強いニップ圧の挟持部Ａに挟持されて、強い圧力と紙面両側から加えられる熱により、トナー画像を紙面に定着される。
【００４２】
その後、用紙は、巻付き防止爪４７により案内されて、加熱定着ローラ４３や加圧ローラ４４に巻き付くことなく搬出口５１から搬出され、図１に示した搬出ローラ対３６及び排紙ローラ対３８により排紙トレー３７上に排紙される。
【００４３】
上記の弱いニップ圧の挟持部Ｂと強いニップ圧の挟持部Ａとで定着を行う方式は、定着する画像のトナーの特性に係わっており、コールドオフセットとホットオフセットを生じない安定した定着範囲が狭いトナーに対して有効な方式とされている。
【００４４】
特にホットオフセットに関しては、高温で強いニップ圧の挟持範囲が長い場合に顕著に現れ易いことが判明している。本例の定着方式のように、弱いニップ圧の挟持領域においてトナーを溶融状態としてから、強いニップ圧の挟持部で用紙へのトナーの定着を行う方式は、ホットオフセットの発生防止には有効な方式とされている。
【００４５】
但し、近年の印刷スピードアップ、用紙の種類の多様性を考慮した場合、上記のコールドオフセットとホットオフセット防止を両立する範囲がますます狭くなり、従来からの温度制御及びスピード制御だけで高速を考慮して、全ての用紙種に対応することが極めて困難になってきている。
【００４６】
そこで、本例では、上記のような問題を解決するために、両方向矢印ｃで示すようにテンションローラ４６を通紙路（搬入口４９から搬出口５１に至る経路）に近づく第１の位置と通紙路から離れる第２の位置とに移動させる不図示のテンションローラ移動部材を備えている。
【００４７】
また、加熱定着ローラ４３と加圧ローラ４４との圧接は、水平方向に行われるのではなく、加熱定着ローラ４３側から見ると、同図(a)の両方向矢印ｂに示すように斜め左下から右上方向に離接可能に付勢されて圧接する。
【００４８】
換言すれば、加熱定着ローラ４３と加圧ローラ４４とが圧接する位置は、加圧ローラ４４の中心を通る水平面５２よりも下方に設定されている。これにより、加熱定着ローラ４３は、強いニップ圧の挟持部Ａに続く上流側（図では下方）に、定着ベルト４５のみに圧接する弱いニップ圧の比較的広い領域の挟持部Ｂを形成することができる。
【００４９】
また、加熱定着ローラ４３と加圧ローラ４４は、比較的剛性が高く構成されている。そのため、この対のローラ間においては、挟持領域Ａは比較的僅かな長さとなるように構成されている。
【００５０】
図３(a),(b),(c)は、上記定着装置６の構成における加熱定着ローラ４３と定着ベルト４５の動作を説明する図である。尚、図３(a),(b),(c)には、図２に示した筐体４２、熱源４８、及び巻付き防止爪４７の図示を省略し、代わって温度センサ５３、保持回動部材５４、及び回転カム５５を新たに示している。
【００５１】
図３(a)に示すように、加圧ローラ４４には、定着ベルト４５を介して温度センサ５３が当接して、加圧ローラ４４及び定着ベルト４５の温度を検知している。一方、加熱定着ローラ４３には、その中心軸４３ａに保持回動部材５４の保持部５４ａが係合している。
【００５２】
保持回動部材５４は、保持部５４ａにより加熱定着ローラ４３を保持すると共に、支点５５を中心に回動可能に構成され、不図示の付勢部材により、定着ベルト４５に近づく方向に回動するよう付勢されている。
【００５３】
この保持回動部材５４の、支点５５に対して加熱定着ローラ４３を保持する保持部５４ａより反対側端部のカム係合面５４ｂに、回転カム５６の平面部５６ａが当接して係合している。
【００５４】
回転カム５６は、カム軸５７を支点にして回転するカムであり、カム軸５７を中心にした円弧部５６ｂと、この円弧部５６ｂを直線状に切り欠いて形成された前述の平面部５６ａから成っている。
【００５５】
カム軸５７は平面部５６ａを、図３(a),(b)に示すように、保持回動部材５４のカム係合面５４ｂに接する位置に回転することにより、保持回動部材５４が定着ベルト４５に近づく方向に回動することを許容し、保持回動部材５４を介して加熱定着ローラ４３を加圧ローラ４４に圧接する加熱位置に設定する。
【００５６】
また、カム軸５７は、円弧部５６ｂを、図３(c)に示すように、保持回動部材５４のカム係合面５４ｂに接する位置に回転することにより、保持回動部材５４を付勢部材の付勢力に抗して定着ベルト４５から離れる方向に角度θだけ回動させ、保持回動部材５４を介して加熱定着ローラ４３を加圧ローラ４４との圧接か解除する非加熱位置に設定する。
【００５７】
一方、テンションローラ４６が図３(a)に示す第１の位置にあって、テンションローラ４６の中心と加圧ローラ４４の中心を結ぶ線５８がほぼ鉛直であるとき、定着ベルト４５は、加熱定着ローラ４３側に比較的近づいている。これにより、定着ベルト４５は、加熱定着ローラ４３との間で、比較的広い範囲の弱いニップ圧の挟持部Ｂ１を形成する。
【００５８】
これに対して、テンションローラ４６が図３(b)に示す破線で示す第１の位置から実線で示す第２の位置に移動して、テンションローラ４６の中心と加圧ローラ４４の中心を結ぶ線５８が加熱定着ローラ４３から離れる方向に傾いたときは、定着ベルト４５は、加熱定着ローラ４３からやや離れることになる。これにより、定着ベルト４５は、加熱定着ローラ４３との間で、比較的狭い範囲の弱いニップ圧の挟持部Ｂ２を形成する。
【００５９】
尚、図３(a),(b)では、テンションローラ４６の第１の位置と第２の位置のみを示したが、テンションローラ４６の移動位置は、温度センサ５３が検知する温度が所望の温度となるまで、第１の位置から第２の位置までの間で、所望の位置に設定できることは言うまでも無い。
【００６０】
このように、本例によれば、図３(a)に示す比較的広い範囲の弱いニップ圧の挟持部Ｂ１から、図３(b)に示す比較的狭い範囲の弱いニップ圧の挟持部Ｂ２までの間で、所望の弱いニップ圧の挟持部を形成することができるので、普通紙、厚紙、ＯＨＰ(overhead projector)用紙等の用紙の種類に係わり無く、適切な加熱方法となるように弱いニップ圧の挟持部の範囲を設定して、用紙の種類に対応する適切な定着熱で加熱することに容易に対応することができる。
【００６１】
また、図３(c)に示すように、テンションローラ４６が第２の位置にあるときに、加熱定着ローラ４３が非加熱位置に移動すると、図１に示した搬入口４９から搬出口５１に至る通紙路が開放され、加熱定着ローラ４３と加圧ローラ４４との圧接が解除される。
【００６２】
これにより、プリンタ１が停止又は休止しているときは、加熱定着ローラ４３と加圧ローラ４４との圧接を解除して、同一位置における長時間の圧接で、加熱定着ローラ４３、加圧ローラ４４、定着ベルト４５等に変形癖が残ることを防止することができる。
【実施例２】
【００６３】
図４(a)は、実施例２に係るプリンタ１の定着装置６の断熱性の筐体４２（４２ａ、４２ｂ）の一部を切り取って内面を示す正面図であり、同図(b) はその上面図、同図(c)はその側面図、同図(d)は同図(a)の丸ｅで囲んだ部分の拡大図、同図(e),(f)はそれぞれ同図(a),(d)の斜視図である。
【００６４】
筐体４２の図４(d),(f)に拡大して示す内面５９は、三角錐を逆さにした形状の三つの三角の面からなる凹部６１の集合体から成っている。
【００６５】
図５(a)は１個の凹部６１を取り出して示す正面図であり、同図(b)はその内部の反射面６２（６２ａ、６２ｂ、６２ｃ）を１つだけ切り離して示す展開図、同図(c)は凹部６１の開口部を示す図、同図(d)は凹部６１への入射熱と反射熱を説明する図である。
【００６６】
図５(a)に示すように、凹部６１の逆三角錐の各稜線の開き角度δは同一の９０°である。また、図５(c)に示すように、凹部６１の開口部の各辺の開き角度は６０°である。
【００６７】
このような凹部６１の構成で、図５(d)に示すように、凹部６１に熱放射ｆが直線状に入射すると、第１の反射面（例えば６２ａ）で反射され、その反射光は第２の反射面（例えば６２ｂ）で反射され、その反射光が更に第３の反射面（例えば６２ｃ）で反射され、反射熱ｇとなって凹部６１の外に入射した熱放射ｆに平行して反射される。
【００６８】
このように、定着装置６の断熱性の筐体４２の内面５９は、入射熱を乱反射することなく同一方向に反射するので、加熱定着ローラ４３、加圧ローラ４４、及び定着ベルト４５から放射される熱は無駄なく定着熱として活用される。
【００６９】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００７０】
熱源を内蔵する加熱定着ローラと、
他の熱源を内蔵する加圧ローラと、
該加圧ローラとテンションローラとの間に掛け渡される定着ベルトと、
前記テンションローラを通紙路に近づく第１の位置と前記通紙路から離れる第２の位置とに移動させるテンションローラ移動部材と、
前記加熱定着ローラを保持し、支点を中心に回動可能な保持回動部材と、
該保持回動部材の前記支点に対し前記加熱定着ローラを保持する保持部より反対側端部に係合し、前記保持回動部材を介して、前記加熱定着ローラを通紙路に近づく加熱位置と前記通紙路から離れる非加熱位置とに移動させる回転カムと、
を有することを特徴とする定着装置。
[付記２]
【００７１】
前記テンションローラが前記第１の位置にあるとき前記テンションローラの中心と前記加圧ローラの中心を結ぶ線はほぼ鉛直であり、
加熱定着ローラと前記加圧ローラとが圧接する位置は、前記加圧ローラの中心を通る水平面よりも下方に設定されている、
ことを特徴とする付記１記載の定着装置。
[付記３]
【００７２】
前記加熱定着ローラが前記非加熱位置に在り、前記テンションローラが前記第２の位置にあるとき、前記通紙路は開放状態となる、ことを特徴とする付記１記載の定着装置。
[付記４]
【００７３】
付記１乃至３記載の定着装置を備えた、ことを特徴とする画像形成装置。
【産業上の利用可能性】
【００７４】
本発明は、用紙の種類の変更に係わりなく機構的に簡単な構成で用紙のトナー画像を常に適正に定着する定着装置及びその定着装置を備えた画像形成装置に利用することができる。
【符号の説明】
【００７５】
１  フルカラー画像形成装置（プリンタ）
２  画像形成部
３  転写ベルトユニット
４  トナー供給部
５  給紙部
６  ベルト式定着ユニット（定着装置）
７  両面印刷用搬送ユニット
８  転写ベルト
８ａ  下部走行部表面
９（９ｍ、９ｃ、９ｙ、９ｋ）  現像装置
９ｒ、９ｒ−１、９ｒ−２  特殊トナー用予備現像装置
１０  感光体ドラム
１１  クリーナ
１２  帯電ローラ
１３  光書込ヘッド
１４  現像器
１５  現像ローラ
１６  筐体
１７  隔壁
１５  現像ローラ
１８  第１の攪拌搬送スクリュー
１９  第２の攪拌搬送スクリュー
２０  一次転写ローラ
２１  駆動ローラ
２２  従動ローラ
２３  二次転写部
２４  ベルトクリーナ
２５  クリーニングブレード
２６  廃トナー回収容器
２７（２７ｍ、２７ｃ、２７ｙ、２７ｋ）  リザーブタンク
２８（２８ｍ、２８ｃ、２８ｙ、２８ｋ）  トナーカートリッジ
２９（２９ａ、２９ｂ）  給紙カセット
３０  電装部
３１  用紙取出ローラ
３２  給送ローラ
３３  捌きローラ
３４  待機搬送ローラ対
３５  二次転写ローラ
３６  搬出ローラ対
３７  排紙トレー
３８  排紙ローラ対
３９  返送路
３９ａ  開始返送路
３９ｂ  中間返送路
３９ｃ  終端返送路
４１（４１ａ、４１ｂ、４１ｃ、４１ｄ、４１ｅ）  返送ローラ対
４２（４２ａ、４２ｂ）  断熱性筐体
４３  定着ローラ
４３ａ  中心軸
４４  加圧ローラ
４５  定着ベルト
４６  テンションローラ
４７  巻付き防止爪
４８（４８ａ、４８ｂ）  熱源
Ａ  強いニップ圧の挟持部
Ｂ  弱いニップ圧の挟持部
４９  搬入口
５１  搬出口
５２  加圧ローラの中心を通る水平面
５３  温度センサ
５４  保持回動部材
５４ａ  保持部
５５  支点
５６  回転カム
５６ａ  平面部
５７  カム軸
５８  テンションローラの中心と加圧ローラの中心を結ぶ線
５９  筐体の内面
６１  凹部
６２（６２ａ、６２ｂ、６２ｃ）  反射面
【図１】
2012220612.tif 000003
【図２】
2012220612.tif 000004
【図３】
2012220612.tif 000005
【図４】
2012220612.tif 000006
【図５】
2012220612.tif 000007